(57)【特許請求の範囲】
【請求項１】
底部を有する筒状の導電キャップと、
一端部が前記導電キャップの前記底部に接続され、前記底部に対して垂直方向に伸びる導電バネと、
前記導電バネの他端部に間接的に又は直接設けられ、電極部が接触する際に前記電極部の前記垂直方向の逆方向である第１方向からの荷重に応じて前記第１方向にスライドする導電性の玉部と、
前記玉部が落下しないように前記玉部の前記電極部と接触しない部分を覆い、前記電極部が接触する際に前記電極部の前記第１方向に交わる第２方向からの荷重に対して前記玉部を回転可能に支持する玉受け部と、
一端部に前記導電バネの他端部が接続され、他端部に前記玉受け部が形成され、前記電極部が接触する際に前記電極部の前記第１方向からの荷重に応じて前記玉部と共に前記第１方向にスライドする導電ピンと、
前記導電キャップ上に設けられ、前記第１方向に向かって貫通孔が形成されたガイドボスと、
を備え、
前記導電ピンの一端部には、前記電極部の前記第１方向からの荷重がないときに前記ガイドボスに接触することにより、前記第１方向に対して逆方向への前記導電ピンの移動を制限するための第１突起部が形成され、
前記導電ピンの前記玉受け部には、前記電極部の前記第１方向からの荷重があるときに前記ガイドボスに接触することにより、前記第１方向への前記導電ピンの移動を制限するための第２突起部が形成されていることを特徴とするコネクタ。
【請求項２】
前記導電ピンの前記玉受け部には、前記玉部の落下を防止し、かつ、前記玉部を回転可能に支持するための穴が形成されていることを特徴とする請求項１に記載のコネクタ。
【請求項３】
前記導電ピンの前記玉受け部の前記穴には、前記玉部の摺動性を更によくするための導電性のオイルが設けられていることを特徴とする請求項２に記載のコネクタ。
【請求項４】
前記ガイドボスの貫通孔には、前記玉部の落下を防止し、かつ、前記玉部を回転可能に支持するための溝部が形成されていることを特徴とする請求項１に記載のコネクタ。
【請求項５】
底部を有する筒状の導電キャップと、
一端部が前記導電キャップの前記底部に接続され、前記底部に対して垂直方向に伸びる導電バネと、
前記導電バネの他端部に間接的に又は直接設けられ、電極部が接触する際に前記電極部の前記垂直方向の逆方向である第１方向からの荷重に応じて前記第１方向にスライドする導電性の玉部と、
前記導電キャップ上に設けられ、前記第１方向に向かって貫通孔が形成されたガイドボスと、
を備え、
前記ガイドボスの貫通孔には、前記玉部が落下しないように前記玉部の前記電極部と接触しない部分を覆い、前記電極部が接触する際に前記電極部の前記第１方向に交わる第２方向からの荷重に対して前記玉部を回転可能に支持する溝部を有する玉受け部が形成され、
前記玉受け部の溝部の上端部は、前記玉部の直径より小さく形成され、
前記電極部の前記第１方向からの荷重がないときに前記溝部に前記玉部が接触することにより、前記第１方向に対して逆方向への前記導電ピンの移動が制限され、
前記電極部の前記第１方向からの荷重があるときに前記導電キャップの上端部に前記玉部が接触することにより、前記第１方向への前記導電ピンの移動が制限されることを特徴とするコネクタ。
【発明の詳細な説明】
【技術分野】
【０００１】
本発明は、電極部に電気的に接続されるコネクタに関する。
【背景技術】
【０００２】
電極部に電気的に接続されるコネクタとして、特許文献１には圧接挟持型コネクタが開示されている。特許文献１に開示されたコネクタは、図１５に示されるように、支持体１１１０と、導電キャップ１１２０と、導電バネ１１３０と、導電ピン１１５０と、ガイドボス１１６０と、を具備している。
【０００３】
支持体１１１０は、第１方向Ｄ１に向かって貫通孔が形成されている。導電キャップ１１２０は、支持体１１１０の貫通孔に設けられている。導電キャップ１１２０は、筒状に形成され、底部１１２１と側面部１１２２とを有している。導電バネ１１３０の一端部は、導電キャップ１１２０の底部１１２１に接続され、導電バネ１１３０の他端部は、導電ピン１１５０の一端部に接続されている。ガイドボス１１６０は、支持体１１１０及び導電キャップ１１２０上に設けられている。ガイドボス１１６０は、第１方向Ｄ１に向かって支持体１１１０の貫通孔よりも径が小さい貫通孔が形成されている。
【０００４】
導電ピン１１５０は、電極部１０１０が接触する際に、電極部１０１０の第１方向Ｄ１からの荷重に応じて、第１方向Ｄ１にスライドする。この場合、図１５に示されるように、電極部１０１０とコネクタの先端との接点、具体的には、電極部１０１０と導電ピン１１５０の先端（導電ピン１１５０の他端部）との接点を正しく取ることができる。
【先行技術文献】
【特許文献】
【０００５】
【特許文献１】特開２００７−２２０４８２号公報
【発明の概要】
【発明が解決しようとする課題】
【０００６】
特許文献１に開示されたコネクタは、電極部１０１０が接触する際に、電極部１０１０の第１方向Ｄ１からの荷重においては、正しく接点を確保することができる。しかし、図１６に示されるように、電極部１０１０の第１方向Ｄ１に直交する第２方向Ｄ２からの荷重においては、正しく接点を確保することができない、という問題点がある。
【０００７】
いま、電極部１０１０が第１方向Ｄ１と第２方向Ｄ２とを合わせた方向、いわゆる、斜め下方の方向に向かって、導電ピン１１５０の先端（導電ピン１１５０の他端部）に接触しようとしている。
【０００８】
ここで、電極部１０１０の第１方向Ｄ１からの荷重がある場合、図１６に示されるように、導電ピン１１５０は、電極部１０１０の第１方向Ｄ１からの荷重に応じて、第１方向Ｄ１にスライドする。
【０００９】
しかし、図１６に示されるように、電極部１０１０の第２方向Ｄ２からの荷重も存在する。この場合、図１６に示されるように、導電ピン１１５０は、電極部１０１０の第２方向Ｄ２からの荷重に応じて、第２方向Ｄ２にもスライドしてしまう。
【００１０】
その結果、図１５に示されるように、電極部１０１０とコネクタの先端との接点、具体的には、電極部１０１０と導電ピン１１５０の先端（導電ピン１１５０の他端部）との接点を正しく取ることができない。また、導電ピン１１５０の先端に第２方向Ｄ２への荷重が加わるため、導電ピン１１５０がガイドボス１１６０や導電キャップ１１２０のほうに傾くため、コネクタの構成要素（導電ピン１１５０、ガイドボス１１６０、導電キャップ１１２０など）が破損する可能性がある。
【００１１】
本発明は、上記の点に鑑みてなされたものであり、電極部との接点を正しく取ることができ、自身の構成要素の破損を防止することができるコネクタを提供することを目的とする。
【課題を解決するための手段】
【００１２】
本発明の第１の観点では、コネクタは、底部を有する筒状の導電キャップと、一端部が前記導電キャップの前記底部に接続され、前記底部に対して垂直方向に伸びる導電バネと、前記導電バネの他端部に間接的に又は直接設けられ、電極部が接触する際に前記電極部の前記垂直方向の逆方向である第１方向からの荷重に応じて前記第１方向にスライドする導電性の玉部と、前記玉部が落下しないように前記玉部の前記電極部と接触しない部分を覆い、前記電極部が接触する際に前記電極部の前記第１方向に交わる第２方向からの荷重に対して前記玉部を回転可能に支持する玉受け部と、を具備することを特徴とする。
【００１３】
本発明の第２の観点では、第１の観点において、コネクタは、一端部に前記導電バネの他端部が接続され、他端部に前記玉受け部が形成され、前記電極部が接触する際に前記電極部の前記第１方向からの荷重に応じて前記玉部と共に前記第１方向にスライドする導電ピン、を更に具備し、前記導電ピンの前記玉受け部には、前記玉部の落下を防止し、かつ、前記玉部を回転可能に支持するための穴が形成されていることを特徴とする。
【００１４】
本発明の第３の観点では、第２の観点において、コネクタは、前記導電キャップ上に設けられ、前記第１方向に向かって貫通孔が形成されたガイドボス、を更に具備し、前記導電ピンの一端部には、前記電極部の前記第１方向からの荷重がないときに前記ガイドボスに接触することにより、前記第１方向に対して逆方向への前記導電ピンの移動を制限するための第１突起部が形成され、前記導電ピンの前記玉受け部には、前記電極部の前記第１方向からの荷重があるときに前記ガイドボスに接触することにより、前記第１方向への前記導電ピンの移動を制限するための第２突起部が形成されていることを特徴とする。
【００１５】
本発明の第４の観点では、第２の観点、又は、第３の観点において、前記導電ピンの前記玉受け部の前記穴には、前記玉部の摺動性を更によくするための導電性のオイルが設けられていることを特徴とする。
【００１６】
本発明の第５の観点では、第１の観点において、コネクタは、前記導電キャップ上に設けられた前記玉受け部であり、前記第１方向に向かって貫通孔が形成されたガイドボス、を更に具備し、前記ガイドボスの貫通孔には、前記玉部の落下を防止し、かつ、前記玉部を回転可能に支持するための溝部が形成されていることを特徴とする。
【００１７】
本発明の第６の観点では、第５の観点において、前記電極部の前記第１方向からの荷重がないときに前記玉部が前記ガイドボスの貫通孔に形成された前記溝部に接触することにより、前記第１方向に対して逆方向への前記玉部の移動が制限され、前記電極部の前記第１方向からの荷重があるときに前記玉部が前記導電キャップの上端部に接触することにより、前記第１方向への前記玉部の移動が制限されることを特徴とする。
【発明の効果】
【００１８】
本発明によれば、電極部の第１方向からの荷重に応じて、玉部が第１方向Ｄ１にスライドするため、電極部とコネクタの先端（玉部）との接点を正しく取ることができる。また、本発明によれば、電極部の第２方向からの荷重が存在しても、玉部が玉受け部内で回転することにより、第２方向からの荷重が低減されるため、自身の構成要素の破損を防止することができる。
【図面の簡単な説明】
【００１９】
【図１】本発明の第１実施形態に係るコネクタの構成を示す概略図である。
【図２】本発明の第１実施形態に係るコネクタの動作を説明するための概略図である。
【図３】本発明の第１実施形態に係るコネクタの動作を説明するための概略図である。
【図４】本発明の第１実施形態に係るコネクタの動作を説明するための概略図である。
【図５】本発明の第１実施形態に係るコネクタにおける利用シーンを説明するための概略図である。
【図６】本発明の第１実施形態に係るコネクタにおける他の利用シーンを説明するための概略図である。
【図７】本発明の第１実施形態に係るコネクタにおける他の利用シーンを説明するための概略図である。
【図８】本発明の第１実施形態に係るコネクタにおける他の利用シーンを説明するための概略図である。
【図９】本発明の第２実施形態に係るコネクタの構成及び動作を示す概略図である。
【図１０】本発明の第２実施形態に係るコネクタの構成及び動作を示す概略図である。
【図１１】本発明の第３実施形態に係るコネクタの構成を示す概略図である。
【図１２】本発明の第３実施形態に係るコネクタの動作を説明するための概略図である。
【図１３】本発明の第３実施形態に係るコネクタの動作を説明するための概略図である。
【図１４】本発明の第３実施形態に係るコネクタの動作を説明するための概略図である。
【図１５】従来のコネクタの構成を説明するための概略図である。
【図１６】従来のコネクタの問題点を説明するための概略図である。
【発明を実施するための形態】
【００２０】
以下、図面を参照しながら本発明の実施形態について説明する。
【００２１】
［第１実施形態］
図１は、本発明の第１実施形態に係るコネクタの構成を示す概略図である。本発明の第１実施形態に係るコネクタは、支持体１１０と、導電キャップ１２０と、導電バネ１３０と、玉部１４０と、導電ピン１５０と、ガイドボス１６０と、を具備している。
【００２２】
支持体１１０には、樹脂等の絶縁性を有する材料が使用される。支持体１１０は、第１方向Ｄ１に向かって貫通孔が形成されている。なお、本実施形態では、支持体１１０の材料を絶縁物としているが、用途によっては、絶縁物である必要はなく、導電キャップと一体成形されるか、または、一体ものであってもよい。
【００２３】
導電キャップ１２０には、銅、アルミニウム、ステンレス鋼などの導電性を有する材料が使用される。導電キャップ１２０は、支持体１１０の貫通孔に設けられている。導電キャップ１２０は、筒状に形成され、底部１２１と側面部１２２とを有している。
【００２４】
導電バネ１３０には、銅、ステンレス鋼などの導電性を有する材料の金属線が使用される。導電バネ１３０は、伸縮可能になるようにコイル状に巻かれている。導電バネ１３０の一端部は、導電キャップ１２０の底部１２１に接続されている。導電バネ１３０は、底部１２１に対して垂直方向に伸び、垂直方向の逆方向である第１方向Ｄ１からの荷重に応じて縮む。
【００２５】
玉部１４０には、銅、アルミニウム、ステンレス鋼などの導電性を有する材料が使用される。後述するように、玉部１４０は、導電ピン１５０を介して、導電バネ１３０の他端部に間接的に導通するように設けられている。
【００２６】
導電ピン１５０には、銅、アルミニウム、ステンレス鋼などの導電性を有する材料が使用される。導電ピン１５０の一端部には、導電バネ１３０の他端部が接続されている。導電ピン１５０は、電極部１０が接触する際に、電極部１０の第１方向Ｄ１からの荷重に応じて、玉部１４０と共に第１方向Ｄ１にスライドする。
【００２７】
導電ピン１５０の他端部には、玉受け部１００が形成されている。玉受け部１００は、玉部１４０が落下しないように玉部１４０の電極部１０と接触しない部分を覆い、電極部１０が接触する際に電極部１０の第１方向Ｄ１に直交する第２方向Ｄ２（図２参照）からの荷重を低減するように玉部１４０を回転可能に支持する。
【００２８】
導電ピン１５０の他端部（玉受け部１００）の上面側には、穴１５１が形成されている。穴１５１は、導電ピン１５０の他端部（玉受け部１００）の上面から第１方向Ｄ１に向かって玉受け部１００中に設けられ、貫通していない。穴１５１は、玉部１４０を回転可能に支持するために、玉状に形成されている。
【００２９】
導電ピン１５０の他端部（玉受け部１００）の上面側に形成された穴１５１は、玉部１４０が落下しないように玉部１４０の電極部１０と接触しない部分を覆っている。
【００３０】
例えば、玉部１４０の中心Ｏから第１方向Ｄ１に向かう玉部１４０の円周上の点Ｐ１までの長さ、すなわち、玉部１４０の半径をＲ１とする。この場合、玉部１４０の直径をＲ１×２とする。また、玉部１４０の点Ｐ１から導電ピン１５０の他端部（玉受け部１００）の上面までの点Ｑ１までの長さをＬ１とする。また、導電ピン１５０の他端部（玉受け部１００）を上面から見たときに、導電ピン１５０の他端部（玉受け部１００）の上面側に形成された穴１５１の玉部１４０が露出する部分に相当する円の直径をＭ１とする。ここで、穴１５１は、玉部１４０が落下しないように、Ｒ１＜Ｌ１、かつ、Ｍ１＜Ｒ１×２の関係になるように設定されている。
【００３１】
導電ピン１５０の一端部には、第１突起部１５２が形成されている。第１突起部１５２は、電極部１０の第１方向Ｄ１からの荷重がないときに、ガイドボス１６０に接触することにより、第１方向Ｄ１に対して逆方向への導電ピン１５０の移動を制限する。
【００３２】
導電ピン１５０の他端部（玉受け部１００）の下面側には、第２突起部１５３が形成されている。第２突起部１５３は、電極部１０の第１方向Ｄ１からの荷重があるときに、ガイドボス１６０に接触することにより、第１方向Ｄ１への導電ピン１５０の移動を制限する。
【００３３】
ガイドボス１６０には、絶縁性を有する材料が使用される。ガイドボス１６０は、支持体１１０及び導電キャップ１２０上に設けられている。ガイドボス１６０は、第１方向Ｄ１に向かって支持体１１０の貫通孔よりも径が小さい貫通孔が形成されている。なお、本実施形態では、ガイドボス１６０の材料を絶縁物としているが、用途によっては、絶縁物である必要はない。また、ガイドボス１６０は支持体１１０と一体成形されるか、または、一体ものであってもよい。
【００３４】
図２〜４は、本発明の第１実施形態に係るコネクタの動作を説明するための概略図である。
【００３５】
図２に示されるように、電極部１０の第１方向Ｄ１からの荷重がない場合、導電ピン１５０の一端部に形成された第１突起部１５２がガイドボス１６０に接触することにより、第１方向Ｄ１に対して逆方向への導電ピン１５０の移動が制限されている。
【００３６】
いま、図２に示されるように、電極部１０が第１方向Ｄ１と第２方向Ｄ２とを合わせた方向、いわゆる、斜め下方の方向に向かって、コネクタの先端、具体的には、導電ピン１５０の先端（玉部１４０）に接触しようとしている。
【００３７】
ここで、電極部１０の第１方向Ｄ１からの荷重がある場合、図３に示されるように、導電ピン１５０は、電極部１０の第１方向Ｄ１からの荷重に応じて、玉部１４０と共に第１方向Ｄ１にスライドする。このとき、導電ピン１５０の他端部（玉受け部１００）の下面側に形成された第２突起部１５３がガイドボス１６０に接触することにより、第１方向Ｄ１への導電ピン１５０の移動が制限される。
【００３８】
しかし、図３に示されるように、電極部１０の第２方向Ｄ２からの荷重も存在する。この場合、図３に示されるように、玉部１４０が導電ピン１５０の他端部（玉受け部１００）の上面側に形成された穴１５１内で回転することにより、第２方向Ｄ２からの荷重が低減される。すなわち、導電ピン１５０は、電極部１０の第２方向Ｄ２からの荷重に応じて玉部１４０と共に第２方向Ｄ２にスライドしない。
【００３９】
その結果、図４に示されるように、電極部１０とコネクタの先端との接点、具体的には、電極部１０と導電ピン１５０の先端（玉部１４０）との接点を正しく取ることができる。
【００４０】
図５は、本発明の第１実施形態に係るコネクタにおける利用シーンを説明するための概略図である。
【００４１】
例えば、本発明の第１実施形態に係るコネクタが基板２０上に設けられ、そのコネクタが携帯電話機などのケース内に強固に組み込まれているものとする。このような場合、本発明の第１実施形態に係るコネクタでは、図５に示されるように、電極部１０と基板２０上のコネクタとが衝撃や振動などにより第２方向Ｄ２又はその逆方向に互いにずれてしまうときでも、導電ピン１５０の先端の玉部１４０が電極部１０に対して摺動するため、導電ピン１５０がガイドボス１６０や導電キャップ１２０のほうに傾くことがない。そのため、コネクタの構成要素（導電ピン１５０、ガイドボス１６０、導電キャップ１２０など）が破損しない。
【００４２】
例えば、本発明の第１実施形態に係るコネクタが基板２０上に設けられ、そのコネクタが摺動する部分の接続に使用されるものとする。このような場合、本発明の第１実施形態に係るコネクタでは、図５に示されるように、摺動時には基板２０上のコネクタの導電ピン１５０の先端の玉部１４０が第２方向Ｄ２又はその逆方向に回転するため、導電ピン１５０がガイドボス１６０や導電キャップ１２０のほうに傾くことがない。そのため、コネクタの構成要素（導電ピン１５０、ガイドボス１６０、導電キャップ１２０など）が破損しない。
【００４３】
図６〜８は、本発明の第１実施形態に係るコネクタにおける他の利用シーンを説明するための概略図である。
【００４４】
例えば、図６に示されるように、本発明の第１実施形態に係るコネクタが基板２０上に設けられ、そのコネクタが携帯電話機などのケース３０内に組み込まれようとしているものとする。このような場合、本発明の第１実施形態に係るコネクタは、図７に示されるように、導電ピン１５０の先端の玉部１４０が電極部１０に対して第２方向Ｄ２又はその逆方向に転がりながら、ケース３０内に組み込まれるため、導電ピン１５０がガイドボス１６０や導電キャップ１２０のほうに傾くことがない。そのため、コネクタの構成要素（導電ピン１５０、ガイドボス１６０、導電キャップ１２０など）が破損しない。
【００４５】
また、本発明の第１実施形態に係るコネクタでは、導電ピン１５０は、電極部１０の第１方向Ｄ１からの荷重に応じて玉部１４０と共に第１方向Ｄ１にスライドする。このとき、図７に示されるように、玉部１４０が導電ピン１５０の他端部（玉受け部１００）の上面側に形成された穴１５１内で回転することにより、電極部１０の第２方向Ｄ２からの荷重に応じて玉部１４０と共に第２方向Ｄ２にスライドしない。すなわち、導電ピン１５０がガイドボス１６０や導電キャップ１２０のほうに傾くことがない。そのため、図８に示されるように、電極部１０と導電ピン１５０の先端（玉部１４０）との接点を正しく取ることができる。
【００４６】
以上の説明により、本発明の第１実施形態に係るコネクタによれば、電極部１０の第１方向Ｄ１からの荷重に応じて、導電ピン１５０が玉部１４０と共に第１方向Ｄ１にスライドするため、電極部１０と導電ピン１５０の先端（玉部１４０）との接点を正しく取ることができる。また、本発明の第１実施形態に係るコネクタによれば、電極部１０の第２方向Ｄ２からの荷重が存在しても、玉部１４０が導電ピン１５０の他端部（玉受け部１００）の上面側に形成された穴１５１内で回転することにより、第２方向Ｄ２からの荷重が低減されるため、自身の構成要素（導電ピン１５０、ガイドボス１６０、導電キャップ１２０など）の破損を防止することができる。
【００４７】
［第２実施形態］
図９、１０は、本発明の第２実施形態に係るコネクタの構成及び動作を示す概略図である。第２実施形態では第１実施形態からの変更点のみ説明する。
【００４８】
本発明の第２実施形態に係るコネクタは、支持体１１０と、導電キャップ１２０と、導電バネ１３０と、玉部１４０と、導電ピン１５０と、ガイドボス１６０と、オイル２００と、を具備している。すなわち、本発明の第２実施形態に係るコネクタは、第１実施形態の構成に加えて、オイル２００を具備している。
【００４９】
オイル２００には、導電性を有する材料が使用される。図９、１０に示されるように、オイル２００は、導電ピン１５０の他端部（玉受け部１００）の上面側に形成された穴１５１に設けられている。オイル２００は、玉部１４０の摺動性を更によくするために用いられる。
【００５０】
以上の説明により、本発明の第２実施形態に係るコネクタによれば、第１実施形態の効果に加えて、玉部１４０の摺動性を高めることができる。
【００５１】
［第３実施形態］
図１１は、本発明の第３実施形態に係るコネクタの構成を示す概略図である。第３実施形態では第１実施形態からの変更点のみ説明する。
【００５２】
本発明の第３実施形態に係るコネクタは、支持体１１０と、導電キャップ１２０と、導電バネ１３０と、玉部１４０と、を具備している。すなわち、本発明の第３実施形態に係るコネクタは、第１実施形態における導電ピン１５０、ガイドボス１６０に代えて、ガイドボス３６０を具備している。
【００５３】
また、本発明の第３実施形態に係るコネクタでは、玉部１４０は、導電バネ１３０の他端部に直接設けられている。玉部１４０は、電極部１０が接触する際に、電極部１０の第１方向Ｄ１からの荷重に応じて、第１方向Ｄ１にスライドする。
【００５４】
ガイドボス３６０には、絶縁性を有する材料が使用される。ガイドボス３６０は、支持体１１０及び導電キャップ１２０上に設けられた玉受け部３００である。ガイドボス３６０（玉受け部３００）は、第１方向Ｄ１に向かって支持体１１０の貫通孔よりも径が小さい貫通孔が形成されている。なお、本実施形態では、ガイドボス３６０の材料を絶縁物としているが、用途によっては、絶縁物である必要はない。また、ガイドボス３６０は支持体１１０と一体成形されるか、または、一体ものであってもよい。
【００５５】
ガイドボス３６０（玉受け部３００）は、玉部１４０が落下しないように玉部１４０の電極部１０と接触しない部分を覆い、電極部１０が接触する際に電極部１０の第１方向Ｄ１に直交する第２方向Ｄ２（図１２参照）からの荷重を低減するように玉部１４０を回転可能に支持する。
【００５６】
ガイドボス３６０（玉受け部３００）の貫通孔には、溝部３６１が形成されている。溝部３６１は、玉部１４０を回転可能に支持するために、半玉状に形成されている。
【００５７】
溝部３６１は、玉部１４０が落下しないように玉部１４０の電極部１０と接触しない部分を覆っている。
【００５８】
例えば、玉部１４０の中心Ｏから第１方向Ｄ１に向かう玉部１４０の円周上の点Ｐ２までの長さ、すなわち、玉部１４０の半径をＲ２とする。この場合、玉部１４０の直径をＲ２×２とする。また、玉部１４０の点Ｐ２からガイドボス３６０（玉受け部３００）の上面までの点Ｑ２までの長さをＬ２とする。また、ガイドボス３６０（玉受け部３００）を上面から見たときに、ガイドボス３６０（玉受け部３００）の貫通孔の玉部１４０が露出する部分に相当する円の直径をＭ２とする。ここで、溝部３６１は、玉部１４０が落下しないように、Ｒ２＜Ｌ２、かつ、Ｍ２＜Ｒ１×２の関係になるように設定されている。
【００５９】
また、溝部３６１は、電極部１０の第１方向Ｄ１からの荷重がないときに、玉部１４０が接触することにより、第１方向Ｄ１に対して逆方向への玉部１４０の移動を制限する。
【００６０】
導電キャップ１２０の上端部は、電極部１０の第１方向Ｄ１からの荷重があるときに、玉部１４０が接触することにより、第１方向Ｄ１への玉部１４０の移動を制限する。導電キャップ１２０の上端部の玉部１４０が接触する部分は、玉部１４０の形状に合わせて、すり鉢形状にしてもよい。
【００６１】
図１２〜１４は、本発明の第３実施形態に係るコネクタの動作を説明するための概略図である。
【００６２】
図１２に示されるように、電極部１０の第１方向Ｄ１からの荷重がない場合、玉部１４０がガイドボス３６０の貫通孔に形成された溝部３６１に接触することにより、第１方向Ｄ１に対して逆方向への玉部１４０の移動が制限されている。
【００６３】
いま、図１２に示されるように、電極部１０が第１方向Ｄ１と第２方向Ｄ２とを合わせた方向、いわゆる、斜め下方の方向に向かって、コネクタの先端、具体的には、玉部１４０に接触しようとしている。
【００６４】
ここで、電極部１０の第１方向Ｄ１からの荷重がある場合、図１３に示されるように、玉部１４０は、電極部１０の第１方向Ｄ１からの荷重に応じて、第１方向Ｄ１にスライドする。このとき、玉部１４０が導電キャップ１２０の上端部に接触することにより、第１方向Ｄ１への玉部１４０の移動が制限される。
【００６５】
しかし、図１３に示されるように、電極部１０の第２方向Ｄ２からの荷重も存在する。この場合、図１３に示されるように、玉部１４０がガイドボス３６０の貫通孔に形成された溝部３６１内で回転することにより、第２方向Ｄ２からの荷重が低減される。すなわち、玉部１４０は、電極部１０の第２方向Ｄ２からの荷重に応じて第２方向Ｄ２にスライドしない。
【００６６】
その結果、図１４に示されるように、電極部１０とコネクタの先端との接点、具体的には、電極部１０と玉部１４０との接点を正しく取ることができる。
【００６７】
以上の説明により、本発明の第３実施形態に係るコネクタによれば、電極部１０の第１方向Ｄ１からの荷重に応じて、玉部１４０が第１方向Ｄ１にスライドするため、電極部１０と玉部１４０との接点を正しく取ることができる。また、本発明の第３実施形態に係るコネクタによれば、電極部１０の第２方向Ｄ２からの荷重が存在しても、玉部１４０がガイドボス３６０の貫通孔に形成された溝部３６１内で回転することにより、第２方向Ｄ２からの荷重が低減されるため、自身の構成要素（ガイドボス３６０、導電キャップ１２０など）の破損を防止することができる。
【００６８】
以上、この発明の実施形態について図面を参照して詳述してきたが、具体的な構成は実施形態に限られるものではなく、この発明の要旨を逸脱しない範囲の設計等も特許請求の範囲に含まれる。
【符号の説明】
【００６９】
１０  …  電極部、
２０  …  基板、
３０  …  ケース、
１００  …  玉受け部、
１１０  …  支持体、
１２０  …  導電キャップ、
１２１  …  底部、
１２２  …  側面部、
１３０  …  導電バネ、
１４０  …  玉部、
１５０  …  導電ピン、
１５１  …  穴、
１５２  …  第１突起部、
１５３  …  第２突起部、
１６０  …  ガイドボス、
２００  …  オイル、
３００  …  玉受け部、
３６０  …  ガイドボス、
３６１  …  溝、
Ｄ１  …  第１方向、
Ｄ２  …  第２方向、
Ｏ  …  原点、
Ｐ１、Ｐ２  …  点、
Ｑ１、Ｑ２  …  点、
Ｌ１、Ｌ２  …  長さ、
Ｍ１、Ｍ２  …  長さ、
Ｒ１、Ｒ２  …  長さ（半径）
【図１】
0006433225.tif 000002
【図２】
0006433225.tif 000003
【図３】
0006433225.tif 000004
【図４】
0006433225.tif 000005
【図５】
0006433225.tif 000006
【図６】
0006433225.tif 000007
【図７】
0006433225.tif 000008
【図８】
0006433225.tif 000009
【図９】
0006433225.tif 000010
【図１０】
0006433225.tif 000011
【図１１】
0006433225.tif 000012
【図１２】
0006433225.tif 000013
【図１３】
0006433225.tif 000014
【図１４】
0006433225.tif 000015
【図１５】
0006433225.tif 000016
【図１６】
0006433225.tif 000017